(57)【要約】  建物内の警備対象エリアを通行可能とする時間の長さを利用者ごとに設定することができる警備システムを提供する。この発明に係る警備システムは、出入口に対応して設けられた読取装置（５ａ，８ｂ）で利用者の識別情報が読み取られてから建物内の警備対象エリアの警備が開始されるまでの時間を当該識別情報に応じて設定する警備開始部（１６）、を備える。このため、建物内の警備対象エリアを通行可能とする猶予時間の長さを利用者ごとに設定することができる。
2019193634.tif 000002
【特許請求の範囲】
【請求項１】
出入口に対応して設けられた読取装置で利用者の識別情報が読み取られてから建物内の警備対象エリアの警備が開始されるまでの時間を当該識別情報に応じて設定する警備開始部、
を備えた警備システム。
【請求項２】
前記警備開始部は、読取装置で車いす利用者の識別情報が読み取られた場合には、通常利用者の識別情報が読み取られた場合よりも長い時間を設定する請求項１に記載の警備システム。
【請求項３】
建物の外部から内部に通じる出入口に対応して設けられた読取装置で建物内の専有部に初回入館する利用者の識別情報が読み取られた場合に当該専有部に対応する共用部の警備を解除する警備解除部、
を更に備え、
前記警備開始部は、専有部に初回入館する利用者の識別情報に基づいて当該専有部に対応する共用部の警備が解除されてから再開されるまでの時間を当該識別情報に応じて設定する請求項１または請求項２に記載の警備システム。
【請求項４】
前記警備開始部は、建物内の専有部から共用部に通じる出入口に対応して設けられた読取装置で当該専有部を最終退館する利用者の識別情報が読み取られてから当該共用部の警備が開始されるまでの時間を当該識別情報に応じて設定する請求項１または請求項２に記載の警備システム。
【発明の詳細な説明】
【技術分野】
【０００１】
この発明は、警備システムに関する。
【背景技術】
【０００２】
警備システムは、建物内の警備対象エリアの侵入監視を行う。警備が解除されていない状態で警備対象エリアを人が通行した場合、侵入警報が発生する。警備システムとして、例えば、下記特許文献１に記載されたものがある。
【先行技術文献】
【特許文献】
【０００３】
【特許文献１】国際公開第２０１５／１４５４８５号公報
【発明の概要】
【発明が解決しようとする課題】
【０００４】
警備システムは、例えば、建物内のテナントに初回入館する利用者が検出された場合、一定時間だけ警備対象エリアの警備を解除する機能を備える。また、警備システムは、例えば、建物内のテナントを最終退館する利用者が検出された場合、一定時間後に警備対象エリアの警備を開始する機能を備える。これらの場合、利用者が一定時間以内に警備対象エリアを通行すれば侵入警報は発生しない。しかしながら、例えば、移動に時間を要する車いす利用者等は、一定時間以内に警備対象エリアを通行できない場合がある。【０００５】
この発明は、上記の課題を解決するためになされた。その目的は、建物内の警備対象エリアを通行可能とする時間の長さを利用者ごとに設定することができる警備システムを提供することである。
【課題を解決するための手段】
【０００６】
この発明に係る警備システムは、出入口に対応して設けられた読取装置で利用者の識別情報が読み取られてから建物内の警備対象エリアの警備が開始されるまでの時間を当該識別情報に応じて設定する警備開始部、を備える。
【発明の効果】
【０００７】
この発明によれば、利用者の識別情報が読み取られてから建物内の警備対象エリアの警備が開始されるまでの時間が当該識別情報に応じて設定される。このため、建物内の警備対象エリアを通行可能とする時間の長さを利用者ごとに設定することができる。
【図面の簡単な説明】
【０００８】
【図１】実施の形態１における警備システムの一例を示す構成図である。
【図２】実施の形態１における警備システムの機能ブロック図である。
【図３】実施の形態１における警備システムの動作例を示す第１のフローチャートである。
【図４】実施の形態１における警備システムの動作例を示す第２のフローチャートである。
【図５】センター装置のハードウェア構成図である。
【発明を実施するための形態】
【０００９】
以下、添付の図面を参照して実施の形態について説明する。各図において、同一または相当する部分には同一の符号が付される。重複する説明は、適宜簡略化あるいは省略する。
【００１０】
実施の形態１．
図１は、実施の形態１における警備システムの一例を示す構成図である。
【００１１】
警備システムは、例えば、複数の階を備える建物に適用される。建物は、例えば、エントランス階および少なくとも１つのテナント階を備える。１つのテナント階には、少なくとも１つのテナントが入居している。テナント階には、例えば、エントランス階からエレベーター１等で移動できる。
【００１２】
警備システムは、セキュリティセンター２に設けられたセンター装置３を備える。センター装置３は、システム全体を管理する。セキュリティセンター２は、例えば、エントランス階に設けられる。セキュリティセンター２は、エントランス階とは異なる階に設けられてもよい。
【００１３】
エントランス階には、例えば、扉４、読取装置５ａ、読取装置５ｂおよびコントローラ６が設けられる。扉４には、電気錠４ａが設けられる。コントローラ６は、例えば、電気錠４ａ、読取装置５ａおよび読取装置５ｂと専用線で電気的に接続されている。コントローラ６は、例えば、ＬＡＮ等のネットワークを介してセンター装置３と接続されている。
【００１４】
扉４は、建物の外部から内部に通じる出入口である。扉４は、例えば、建物のエントランスまたは通用口などである。
【００１５】
読取装置５ａおよび読取装置５ｂは、扉４に対応して設けられる。読取装置５ａは、建物の外側に設けられる。読取装置５ｂは、建物の内側に設けられる。
【００１６】
読取装置５ａおよび読取装置５ｂは、利用者の識別情報を読み取る。読取装置５ａおよび読取装置５ｂは、例えば、利用者が携帯するＩＣカードまたはＩＣタグ等から識別情報を読み取る。また、読取装置５ａおよび読取装置５ｂは、例えば、利用者の指紋、声紋、網膜、虹彩または顔画像などを識別情報として読み取ってもよい。
【００１７】
コントローラ６は、例えば、読取装置５ａまたは読取装置５ｂで読み取られた識別情報に基づいて電気錠４ａの施解錠制御を行う。コントローラ６は、例えば、扉４の通行履歴をセンター装置３に通知する。
【００１８】
テナント階には、例えば、扉７、読取装置８ａ、読取装置８ｂおよびコントローラ９が設けられる。扉７には、電気錠７ａが設けられる。コントローラ９は、例えば、電気錠７ａ、読取装置８ａおよび読取装置８ｂと専用線で電気的に接続されている。コントローラ９は、例えば、ＬＡＮ等のネットワークを介してセンター装置３と接続されている。
【００１９】
扉７は、テナント階のエレベーターホールまたは通路などからテナントの室内に通じる出入口である。テナント階において、テナントの室内は、利用者の専有部である。テナント階において、エレベーターホールまたは通路などは、当該専有部に対応する共用部である。つまり、扉７は、建物内の共用部から利用者の専有部に通じる出入口である。
【００２０】
読取装置８ａおよび読取装置８ｂは、扉７に対応して設けられる。読取装置８ａは、テナントの室外に設けられる。つまり、読取装置８ａは、共用部側に設けられる。読取装置８ｂは、テナントの室内に設けられる。つまり、読取装置８ｂは、専有部側に設けられる。
【００２１】
読取装置８ａおよび読取装置８ｂは、利用者の識別情報を読み取る。読取装置８ａおよび読取装置８ｂは、例えば、利用者が携帯するＩＣカードまたはＩＣタグ等から識別情報を読み取る。また、読取装置８ａおよび読取装置８ｂは、例えば、利用者の指紋、声紋、網膜、虹彩または顔画像などを識別情報として読み取ってもよい。
【００２２】
コントローラ９は、例えば、読取装置８ａまたは読取装置８ｂで読み取られた識別情報に基づいて電気錠７ａの施解錠制御を行う。コントローラ９は、例えば、扉７の通行履歴をセンター装置３に通知する。
【００２３】
図２は、実施の形態１における警備システムの機能ブロック図である。
【００２４】
コントローラ６は、例えば、照合部１０および電気錠制御部１１を備える。コントローラ９は、例えば、照合部１２および電気錠制御部１３を備える。センター装置３は、例えば、記憶部１４、警備解除部１５および警備開始部１６を備える。
【００２５】
利用者は、例えば、建物に入館する際に、読取装置５ａに識別情報を読み取らせるための操作を行う。当該操作は、例えば、読取装置５ａにＩＣカードをかざすこと等である。
【００２６】
利用者は、例えば、建物から退館する際に、読取装置５ｂに識別情報を読み取らせるための操作を行う。当該操作は、例えば、読取装置５ｂにＩＣカードをかざすこと等である。
【００２７】
読取装置５ａまたは読取装置５ｂは、読み取った識別情報をコントローラ６に通知する。照合部１０は、通知された識別情報がシステムに登録されているか否かを照合する。システムに登録されている正規の識別情報は、認証される。
【００２８】
電気錠制御部１１は、例えば、読取装置５ａまたは読取装置５ｂで読み取られた識別情報が認証された場合、電気錠４ａを解錠する。電気錠制御部１１は、例えば、読取装置５ａまたは読取装置５ｂで読み取られた識別情報が認証されなかった場合、電気錠４ａを解錠しない。
【００２９】
コントローラ６は、読取装置５ａまたは読取装置５ｂで読み取られた識別情報をセンター装置３に通知する。コントローラ６は、少なくとも、認証された識別情報をセンター装置３に通知する。
【００３０】
利用者は、例えば、テナントに入室する際に、読取装置８ａに識別情報を読み取らせるための操作を行う。当該操作は、例えば、読取装置８ａにＩＣカードをかざすこと等である。
【００３１】
利用者は、例えば、テナントから退室する際に、読取装置８ｂに識別情報を読み取らせるための操作を行う。当該操作は、例えば、読取装置８ｂにＩＣカードをかざすこと等である。
【００３２】
読取装置８ａまたは読取装置８ｂは、読み取った識別情報をコントローラ９に通知する。照合部１２は、通知された識別情報がシステムに登録されているか否かを照合する。システムに登録されている正規の識別情報は、認証される。
【００３３】
電気錠制御部１３は、例えば、読取装置８ａまたは読取装置８ｂで読み取られた識別情報が認証された場合、電気錠７ａを解錠する。電気錠制御部１３は、例えば、読取装置８ａまたは読取装置８ｂで読み取られた識別情報が認証されなかった場合、電気錠７ａを解錠しない。
【００３４】
コントローラ９は、読取装置８ａまたは読取装置８ｂで読み取られた識別情報をセンター装置３に通知する。コントローラ９は、少なくとも、認証された識別情報をセンター装置３に通知する。
【００３５】
記憶部１４は、例えば、予め利用者の識別情報と関連付けられた当該利用者の個人情報を記憶している。利用者の個人情報には、例えば、テナント情報、利用者属性および移動所要時間などが含まれ得る。利用者属性は、例えば、当該利用者が通常利用者であるか車いす利用者であるか等を示す情報である。移動所要時間は、例えば、当該利用者がエントランス階の扉４とテナント階の扉７との間を移動するのに要する時間である。テナントが同一であっても、車いす利用者の移動所要時間は、通常利用者の移動所要時間よりも長い時間に設定される。
【００３６】
警備解除部１５は、建物内の警備対象エリアの警備を解除する機能を備える。
【００３７】
警備開始部１６は、建物内の警備対象エリアの警備を開始する機能を備える。
【００３８】
警備対象エリアには、例えば、テナント階の共用部が含まれる。センター装置３は、例えば、警備が解除されていない警備対象エリアに人が居ることが検出された場合に、侵入警報を発生させる。センター装置３は、例えば、警備が解除されている警備対象エリアに人が居ることが検出された場合に、侵入警報を発生させない。警備対象エリアに人が居るか否かは、例えば、図示しない人感センサ等で検出される。
【００３９】
以下、利用者がテナントに初回入館する場合のセンター装置３の動作を説明する。この場合、警備解除部１５および警備開始部１６が動作する。
【００４０】
初回入館は、例えば、他の利用者が誰も居ない状態のテナントに、その日最初に入室することである。なお、例えば、同一のテナント階に複数のテナントが存在する場合、初回入館は、他の利用者が誰も居ない状態のテナント階に、その日最初に入場することであってもよい。
【００４１】
警備解除部１５は、テナントに初回入館する利用者の識別情報が読取装置５ａで読み取られた場合に、テナント階の共用部の警備を解除する。テナント階を特定する情報は、記憶部１４から取得される。
【００４２】
警備開始部１６は、テナントに初回入館する利用者の識別情報が読取装置５ａで読み取られた場合に、読み取りが行われてからテナント階の共用部の警備が再開されるまでの猶予時間を当該識別情報に応じて設定する。猶予時間の長さは、当該識別情報と関連付けられた移動所要時間に応じて設定される。移動所要時間は、記憶部１４から取得される。
【００４３】
初回入館の猶予時間が経過する前に当該識別情報が読取装置８ａで読み取られなかった場合、警備開始部１６は、テナント階の共用部の警備を再開する。一方、初回入館の猶予時間が経過する前に当該識別情報が読取装置８ａで読み取られた場合、警備開始部１６は、テナント階の共用部の警備を再開しない。つまり、初回入館の猶予時間が経過する前に利用者が初回入館すると、テナント階の共用部の警備が解除された状態が継続する。
【００４４】
以下、利用者がテナントを最終退館する場合のセンター装置３の動作を説明する。この場合、警備開始部１６が動作する。
【００４５】
最終退館は、例えば、他の利用者が誰も居ない状態のテナントから、その日最後に退室することである。なお、例えば、同一のテナント階に複数のテナントが存在する場合、最終退館は、他の利用者が誰も居ない状態のテナント階から、その日最後に退場することであってもよい。
【００４６】
警備開始部１６は、テナントを最終退館する利用者の識別情報が読取装置８ｂで読み取られた場合に、読み取りが行われてからテナント階の共用部の警備が開始されるまでの猶予時間を当該識別情報に応じて設定する。猶予時間は、当該識別情報と関連付けられた移動所要時間に応じて設定される。移動所要時間は、記憶部１４から取得される。
【００４７】
最終退館の猶予時間が経過すると、警備開始部１６は、テナント階の共用部の警備を開始する。
【００４８】
なお、最終退館の猶予時間は、同一の利用者について設定される初回入館の猶予時間と同一であってもよいし、異なってもよい。
【００４９】
図３は、実施の形態１における警備システムの動作例を示す第１のフローチャートである。図３は、利用者がテナントに初回入館する場合について示している。
【００５０】
ステップＳ１０１では、エントランス階の読取装置５ａで利用者の識別情報が読み取られる。
【００５１】
ステップＳ１０２では、読取装置５ａからセンター装置３に通知された識別情報と関連付けられた個人情報が検索される。
【００５２】
ステップＳ１０３では、個人情報が登録されているか否かが判定される。個人情報が登録されていない場合、処理が終了する。個人情報が登録されている場合、ステップＳ１０４が実施される。
【００５３】
ステップＳ１０４では、当該読取装置５ａに対応する出入口を通る権限が当該利用者にあるか否かが判定される。当該利用者に権限が無い場合、処理が終了する。当該利用者に権限がある場合、ステップＳ１０５が実施される。
【００５４】
ステップＳ１０５では、現在時刻が通行可能な時間帯であるか否かが判定される。通行可能な時間帯でない場合、処理が終了する。通行可能な時間帯である場合、ステップＳ１０６が実施される。
【００５５】
ステップＳ１０６では、テナント階の共用部の警備が解除される。つまり、共用部の侵入監視が終了し、通行可能となる。
【００５６】
ステップＳ１０７では、猶予時間がセットされる。
【００５７】
ステップＳ１０８では、初回入館が行われたか否かが判定される。初回入館が行われた場合、処理が終了する。初回入館が行われなかった場合、ステップＳ１０９が実施される。
【００５８】
ステップＳ１０９では、経過時間が猶予時間以上となったか否かが判定される。経過時間が猶予時間未満である場合、ステップＳ１０８が実施される。経過時間が猶予時間以上となった場合、ステップＳ１１０が実施される。
【００５９】
ステップＳ１１０では、テナント階の共用部の警備が開始される。つまり、ステップＳ１０６で一時的に解除された共用部の侵入監視が再開される。
【００６０】
図４は、実施の形態１における警備システムの動作例を示す第２のフローチャートである。図４は、利用者がテナントを最終退館する場合について示している。
【００６１】
ステップＳ２０１では、テナント階の読取装置８ｂで利用者の識別情報が読み取られる。
【００６２】
ステップＳ２０２では、読取装置８ｂからセンター装置３に通知された識別情報と関連付けられた個人情報が検索される。
【００６３】
ステップＳ２０３では、個人情報が登録されているか否かが判定される。個人情報が登録されていない場合、処理が終了する。個人情報が登録されている場合、ステップＳ２０４が実施される。
【００６４】
ステップＳ２０４では、当該読取装置８ｂに対応する出入口を通る権限が当該利用者にあるか否かが判定される。当該利用者に権限が無い場合、処理が終了する。当該利用者に権限がある場合、ステップＳ２０５が実施される。
【００６５】
ステップＳ２０５では、現在時刻が通行可能な時間帯であるか否かが判定される。通行可能な時間帯でない場合、処理が終了する。通行可能な時間帯である場合、ステップＳ２０６が実施される。
【００６６】
ステップＳ２０６では、最終退館が行われたか否かが判定される。最終退館が行われなかった場合、処理が終了する。最終退館が行われた場合、ステップＳ２０７が実施される。
【００６７】
ステップＳ２０７では、猶予時間がセットされる。
【００６８】
ステップＳ２０８では、経過時間が猶予時間以上となったか否かが判定される。経過時間が猶予時間未満である場合、ステップＳ２０８が実施される。経過時間が猶予時間以上となった場合、ステップＳ２０９が実施される。
【００６９】
ステップＳ２０９では、テナント階の共用部の警備が開始される。
【００７０】
実施の形態１によれば、警備開始部１６は、出入口に対応して設けられた読取装置で利用者の識別情報が読み取られてから建物内の警備対象エリアの警備が開始されるまでの時間を当該識別情報に応じて設定する。このため、建物内の警備対象エリアを通行可能とする猶予時間の長さを利用者ごとに設定することができる。その結果、正規の利用者が建物内を通行したことに起因して侵入警報が発生することを防止できる。
【００７１】
実施の形態１によれば、警備開始部１６は、読取装置で車いす利用者の識別情報が読み取られた場合には、通常利用者の識別情報が読み取られた場合よりも長い猶予時間を設定する。このため、歩行者よりも移動に時間を要する車いす利用者が建物内を通行したことに起因して侵入警報が発生することを防止できる。
【００７２】
実施の形態１によれば、警備解除部１５は、建物の外部から内部に通じる出入口に対応して設けられた第１の読取装置で建物内の専有部に初回入館する利用者の識別情報が読み取られた場合に、当該専有部に対応する共用部の警備を解除する。警備解除部１５は、専有部に初回入館する利用者の識別情報に基づいて当該専有部に対応する共用部の警備が解除されてから再開されるまでの猶予時間を当該識別情報に応じて設定する。警備解除部１５は、例えば、当該猶予時間が経過する前に当該共用部から当該専有部に通じる出入口に対応して設けられた第２の読取装置で当該識別情報が読み取られた場合には、当該共用部の警備を再開しない。このため、初回入館の猶予時間を利用者ごとに設定することができる。また、初回入館が行われた場合には、共用部の警備が解除された状態を継続させることができる。
【００７３】
実施の形態１によれば、警備開始部１６は、建物内の専有部から共用部に通じる出入口に対応して設けられた読取装置で当該専有部を最終退館する利用者の識別情報が読み取られてから当該共用部の警備が開始されるまでの時間を当該識別情報に応じて設定する。このため、最終退館の猶予時間を利用者ごとに設定することができる。
【００７４】
図５は、センター装置のハードウェア構成図である。
【００７５】
センター装置３における記憶部１４、警備解除部１５および警備開始部１６の各機能は、処理回路により実現される。処理回路は、専用ハードウェア５０であってもよい。処理回路は、プロセッサ５１およびメモリ５２を備えていてもよい。処理回路は、一部が専用ハードウェア５０として形成され、更にプロセッサ５１およびメモリ５２を備えていてもよい。図５は、処理回路が、その一部が専用ハードウェア５０として形成され、プロセッサ５１およびメモリ５２を備えている場合の例を示している。
【００７６】
処理回路の少なくとも一部が、少なくとも１つの専用ハードウェア５０である場合、処理回路は、例えば、単一回路、複合回路、プログラム化したプロセッサ、並列プログラム化したプロセッサ、ＡＳＩＣ、ＦＰＧＡ、またはこれらを組み合わせたものが該当する。
【００７７】
処理回路が少なくとも１つのプロセッサ５１および少なくとも１つのメモリ５２を備える場合、センター装置３の各機能は、ソフトウェア、ファームウェア、またはソフトウェアとファームウェアとの組み合わせにより実現される。ソフトウェアおよびファームウェアはプログラムとして記述され、メモリ５２に格納される。プロセッサ５１は、メモリ５２に記憶されたプログラムを読み出して実行することにより、各部の機能を実現する。プロセッサ５１は、ＣＰＵ（Ｃｅｎｔｒａｌ  Ｐｒｏｃｅｓｓｉｎｇ  Ｕｎｉｔ）、中央処理装置、処理装置、演算装置、マイクロプロセッサ、マイクロコンピュータ、ＤＳＰとも呼ぶ。メモリ５２は、例えば、ＲＡＭ、ＲＯＭ、フラッシュメモリー、ＥＰＲＯＭ、ＥＥＰＲＯＭ等の、不揮発性または揮発性の半導体メモリ、磁気ディスク、フレキシブルディスク、光ディスク、コンパクトディスク、ミニディスク、ＤＶＤ等が該当する。
【００７８】
このように、処理回路は、ハードウェア、ソフトウェア、ファームウェア、またはこれらの組み合わせによって、センター装置３の各機能を実現することができる。
【産業上の利用可能性】
【００７９】
以上のように、この発明は、警備対象エリアを通行可能とする時間の長さを利用者ごとに設定するシステムに利用できる。
【符号の説明】
【００８０】
１  エレベーター
２  セキュリティセンター
３  センター装置
４  扉
４ａ  電気錠
５ａ  読取装置
５ｂ  読取装置
６  コントローラ
７  扉
７ａ  電気錠
８ａ  読取装置
８ｂ  読取装置
９  コントローラ
１０  照合部
１１  電気錠制御部
１２  照合部
１３  電気錠制御部
１４  記憶部
１５  警備解除部
１６  警備開始部
５０  専用ハードウェア
５１  プロセッサ
５２  メモリ
【図１】
2019193634.tif 000003
【図２】
2019193634.tif 000004
【図３】
2019193634.tif 000005
【図４】
2019193634.tif 000006
【図５】
2019193634.tif 000007
【手続補正書】
【提出日】令和2年2月26日(2020.2.26)
【手続補正１】
【補正対象書類名】特許請求の範囲
【補正対象項目名】全文
【補正方法】変更
【補正の内容】
【特許請求の範囲】
【請求項１】
出入口に対応して設けられた読取装置で利用者の識別情報が読み取られてから建物内の警備対象エリアの警備が開始されるまでの時間を当該識別情報に応じて設定する警備開始部、
建物の外部から内部に通じる出入口に対応して設けられた読取装置で建物内の専有部に初回入館する利用者の識別情報が読み取られた場合に当該専有部に対応する共用部の警備を解除する警備解除部、
を備え、
前記警備開始部は、専有部に初回入館する利用者の識別情報に基づいて当該専有部に対応する共用部の警備が解除されてから再開されるまでの時間を当該識別情報に応じて設定する警備システム。
【請求項２】
前記警備開始部は、読取装置で車いす利用者の識別情報が読み取られた場合には、通常利用者の識別情報が読み取られた場合よりも長い時間を設定する請求項１に記載の警備システム。
【請求項３】
前記警備開始部は、建物内の専有部から共用部に通じる出入口に対応して設けられた読取装置で当該専有部を最終退館する利用者の識別情報が読み取られてから当該共用部の警備が開始されるまでの時間を当該識別情報に応じて設定する請求項１または請求項２に記載の警備システム。
【手続補正２】
【補正対象書類名】明細書
【補正対象項目名】０００６
【補正方法】変更
【補正の内容】
【０００６】
この発明に係る警備システムは、出入口に対応して設けられた読取装置で利用者の識別情報が読み取られてから建物内の警備対象エリアの警備が開始されるまでの時間を当該識別情報に応じて設定する警備開始部、建物の外部から内部に通じる出入口に対応して設けられた読取装置で建物内の専有部に初回入館する利用者の識別情報が読み取られた場合に当該専有部に対応する共用部の警備を解除する警備解除部、を備え、前記警備開始部は、専有部に初回入館する利用者の識別情報に基づいて当該専有部に対応する共用部の警備が解除されてから再開されるまでの時間を当該識別情報に応じて設定する。
【国際調査報告】
2019193634.tif 000008
2019193634.tif 000009